(57)【特許請求の範囲】
【請求項１】
表面の中央部に破断域として突起状の吐出手段を有する折曲線に添って折り曲げ可能な硬質材の蓋と、その蓋の裏面に周縁部を固着した可撓性部材からなる容器体とをもって、蓋の破断域に通ずる２個以上のポケット部を形成した包装体に於て、前記吐出手段の尖端部を四方に稜線を有する略ピラミッド形状とするとともに前記折曲線と同一線上の稜線の下半部を略直方体形状の突起の一側端部と直交施装した形状としてあり、前記折曲線と同一線上にある前記略直方体形状の突起の平面および垂直面に前記折曲線が形成してあることを特徴とする包装体。
【請求項２】
表面の中央部に破断域として突起状の吐出手段を有する折曲線に添って折り曲げ可能な硬質材の蓋と、その蓋の裏面に周縁部を固着した可撓性部材からなる容器体とをもって、蓋の破断域に通ずる２個以上のポケット部を形成した包装体に於て、前記吐出手段の尖端部を四方に稜線を有する略ピラミッド形状とするとともに前記折曲線と同一線上の稜線の下半部を一段と緩斜な稜線として前記折曲線が形成してあることを特徴とする包装体。
【請求項３】
折曲線上の突起の幅を折曲線の長さの１／５乃至１／４の長さとしてある請求項１または２記載の包装体。
【請求項４】
前記ピラミッド形状の吐出手段の折曲線と直交する方の稜線はその中腹から緩斜で裾長の稜線として蓋の一端方向へ延設してある請求項１乃至３記載の包装体。
【請求項５】
ピラミッド形状とした吐出手段の尖端の折曲線と相対する方の内角は６０度以下の鋭角としてある請求項１乃至４記載の包装体。
【発明の詳細な説明】
【０００１】
【発明の属する技術分野】
本発明は、調味料や飲料等の飲食品、化粧品或いは薬品等の液状、ペースト状、粉状、顆粒状、或いは粒状の内容物の小型包装体の構造に関する。更に詳しくは、内容物として粒径の大なるものであって包装体に形成された吐出部からの吐出が難しい固形物を収容してあっても、片手の指でつまんで操作することにより、吐出口につまることなく容易に抽出乃至吐出することができる構造の包装体に関する。
【０００２】
【従来の技術】
従来、包装体の蓋表面に突起状の吐出手段を形成し、指でつまんでワンタッチ折り曲げ操作することにより、突起部を拡開して内容物を簡単に抽出できる小型の包装体は種々提案されている。
例えば、特開昭５９−１０３８６６号公報や特開昭６１−１０４９７３号公報に記載の包装体とか、本出願人が先に考案した実願昭６１−１５６７５０（実開昭６３−６４６６５号公報）の包装体等がこれに該当する。
【０００３】
【発明が解決しようとする課題】
しかし、かかる従来の包装体は、内容物が主に液状、ペースト状、粉状、顆粒状のように吐出口が狭い容器でも吐出口に詰まり難い大きさ（粒径が２ｍｍ程度）までのものであれば問題は生じないが、内容物に例えば粒胡椒のような粒状の食品あるいは野菜の切断片等の粒径が２ｍｍ以上の大きな固形物が内容液中等に混在するものにあっては、これが吐出口にひっかかり、スムーズな内容物の抽出ができないという問題があった。
本発明は、このような問題点を解決した包装体の構造を提供しようとするものである。
【０００４】
【課題を解決するための手段】
本発明者は、この問題点を解決するために、包装体の吐出口となる従来の略ピラミッド状の突起の形状をそのまま相似形状に拡大した突起を有する包装体を種々試作して包装体の折り曲げの容易性と内容物の抽出状態を観察した。
その結果、判明したことは前記突起の尖端の高さを大きくすると、理論的には吐出口は拡げることはできるが、折り曲げ応力が突起尖端に伝わり難くなり、突起の破断が不完全なものとなる。また蓋折り曲げ線上の突起の幅を大きくすると、蓋が折り曲げ難くなるばかりであって、時たまうまく突起の尖端部が破断しても期待する程スムーズに吐出口を拡開形成できる包装体を得ることはできなかった。
いずれにしても、従来のピラミッド形状の突起の高さや幅をたんに大きくするだけでは、蓋の折り曲げが容易でかつ固形物を含む内容物をスムーズに抽出できる吐出口を形成する包装体を得ることには無理があることを認識した。
そこで、次に本発明者は、蓋折り曲げ時に破断の発端となるピラミッド状突起の上半の尖端部を従来の破断し易い形状のまま残して、突起下半部の形状を変えた包装体を作成し、上記と同様にその作用効果を確認したところ、蓋の折り曲げも容易で期待する大きな吐出口をスムーズに形成できる包装体を得ることを発見し本発明を完成するに至った。
【０００５】
即ち、本発明の包装体は、表面の中央部に破断域として突起状の吐出手段を有する折曲線に添って折り曲げ可能な硬質材の蓋と、その蓋の裏面に周縁部を固着した可撓性部材からなる容器体とをもって、蓋の破断域に通ずる２個以上のポケット部を形成した包装体に於て、前記吐出手段の尖端部を四方に稜線を有する略ピラミッド形状とするとともに前記折曲線と同一線上の稜線の下半部を略直方体形状の突起の一側端部と直交施装した形状としてあり、前記折曲線と同一線上にある前記略直方体形状の突起の平面および垂直面に前記折曲線が形成してあることを特徴とするものであり、またその他の構成としては、表面の中央部に破断域として突起状の吐出手段を有する折曲線に添って折り曲げ可能な硬質材の蓋と、その蓋の裏面に周縁部を固着した可撓性部材からなる容器体とをもって、蓋の破断域に通ずる２個以上のポケット部を形成した包装体に於て、前記吐出手段の尖端部を四方に稜線を有する略ピラミッド形状とするとともに前記折曲線と同一線上の稜線の下半部を一段と緩斜な稜線として前記折曲線が形成してあることを特徴とするものである。この際折曲線上の突起の幅は折曲線の長さの１／５乃至１／４の長さとしておくと、折曲時に突起の破断に伴う吐出口を適度に幅広くできるとともに折り曲げ力も少なくてすむので好ましい。また、ピラミッド形状の吐出手段（突起）の折曲線と直交する方の稜線はその中腹から緩斜な裾長の稜線として蓋の一端方向へ延設しておくと蓋の強度が高まるとともに折り曲げ力が有効に突起の尖端に伝わって吐出口の形成を容易にできるのでよい。また、通常突起の尖端の内角は小さい程破断開口が容易となるが反面吐出口が狭くなってしまうものであることは経験則上も明らかなことである。それ故に、開口面積の大なる吐出口を得るために尖端の内角を大きくするとピラミッド状突起の裾野は拡がり、吐出口も広くなるが、一方で突起の尖端が破断し難くなる傾向が生ずるので、その尖端角は６０度以下に形成しておくのがよい。
【０００６】
次に本発明の包装体の作用をその使用態様でもって説明する。
本発明の包装体は、蓋表面の突起状の吐出手段を四方に稜線を有する略ピラミッド形状とするとともに少なくとも折曲線と重なる側の稜線をその中腹から下方へ一段と緩斜な稜線として形成してあったり、或いは前記折曲線と同一線上（重なる側）の稜線を途中で中断し、その中断部から下半部を略直方体形状の突起の一側端部を該稜線と直交施装した形状としてあるので、この包装体を指でつまんでワンタッチ折り曲げ操作をした時に、拡開される突起状の吐出手段の拡開面積は、従来のピラミッド形状の突起の吐出口の面積より数段広くなる。
また、吐出手段の形状として突起の上半部は破断容易な従来形状に順じた尖端角を６０度以下のものとして残されており、即ちその尖端部の形状は従来のものと変わらないので、破断開始に要する折り曲げ力は従来と殆ど同程度の力を付与すればよく、突起部はスムーズに拡開され吐出口を形成できる。
尚、吐出口を拡げるために従来のピラミッド形状の突起の高さや幅の長さのみを大きくすると突起尖端の角度が大きくなって破断開始の容易さが失われるので避ける方がよい。
【０００７】
【発明の実施の形態】
以下、本発明を図面に示す実施の形態を参照して説明する。
図１及び図４は、本発明に係る包装体１の一実施例及びその他の実施例の斜視図を示し、図２は図１の要部拡大斜視図を、図３は図１の包装体１の吐出手段３の拡開状態を示す斜視図である。また、図５は図４の要部拡大斜視図を示し、図６は従来の包装体１′の斜視図を、図７は図６の包装体の吐出手段３の拡開状態を示す斜視図である。
図１乃至図３において、１は内容物として液状、ペースト状、粉状、顆粒状、或いは粒状の流動性材料を収納する本発明の包装体の一実施例であって、蓋２はポリスチレン或いはポリスチレンの共重合体を材料とする縦×横（５０ｍｍ×８０ｍｍ）、厚さ３００μｍの硬質シートからなり、蓋２の表面の中央部には、突起状の吐出手段としての突起３が設けられている。この突起３は尖端角を６０度以下の略ピラミッド状とされ蓋２上の図示しない中央軸線上に設けられた折曲線８と交差して設けられてあり、蓋２を折曲線８に沿って折り曲げると突起３の尖端部７から破断が生じるようにしてある。
また、略ピラミッド状の突起３の折曲線８と重なる側の稜線はその途中で途切れ（中断され）ており、中断部から下半部にかけて略直方体形状の突起部９の一側端部を該稜線と直交施装した形状としてある。
従って、図３に示すように包装体１の蓋２をポケット部６，６が互いに近づくようにして折り曲げると、突起３の尖端部７が破断されるとともに稜線に沿って突起３と直方体形状の突起部９も順次破断されて従来の吐出手段による吐出口より一段と広くなった吐出口が拡開状態に形成される。
この際、突起３の尖端部７の形状は従来のピラミッド形状と何ら変わらない形状として尖端角を６０度以下にされているので、蓋２の折り曲げによって突起３は容易に破断を開始されて、その後の破断域をスムーズに広げることができる。尚、蓋２の表面には上記折曲線８と直交方向に複数の突条帯４，４，４…が蓋２の裏面を窪ませて設けてあり、また突起３の折曲線８と直交する方向の稜線を蓋２の裏面を窪ませて帯条に延設してあることは、蓋２を折り曲げても、蓋２がその曲げ応力に耐えて容易に歪まないようにするとともに突起３に応力が十分に伝わるようにするためである。
蓋２の裏側は、ポリエチレン或いはアルミ等の薄層シートで成形されて可撓性のある部材からなる容器体５の開口周縁に固着されている。
容器体５はポケット部６，６を有しており、この中に内容物を充填できるようになっている。本実施例においては、包装体１は以上の構成からなり、ポケット部６，６に収容してある内容物の抽出にあたっては、蓋２を指間に挟み、蓋２の尖端部７を下方に向け左右のポケット部６，６を互いに近づけるように蓋２を折曲線８に沿って折り曲げると両ポケット部６，６は押圧されてその内容物には蓋２の尖端部７方向へ大きな圧力が加わると同時に蓋２は尖端部７から破断を生じ、突起３及びこれに施装された突起部９も順次破断されて拡開し広面積の吐出口１０が形成される。その破断拡開された吐出口１０は粒径が２ｍｍを超える大粒の固形物を含んだ内容物であっても容易に抽出され得る。
図４乃至図５は本発明のその他の実施例における包装体１を示したものであり、その同一の箇所及び同様の作用を奏する箇所には同一の符号を付して示した斜視図及びその要部拡大図である。図４の包装体１は、ピラミッド状の突起３の折曲線８と重なる側の稜線をその中腹から一段と緩斜な稜線として形成してあるものである。即ち突起３の下半部の形状を図１におけるものと異なる形状としてある他は実質的に異なる点はない。
【０００８】
従って、蓋２の折り曲げによって突起３の尖端部７がまず破断され、次いで突起３の稜線とこれに連なる緩斜な稜線は順次破断されて広面積に拡開された図示しない吐出口が形成されるものである。この際の作用等は先の実施例とほぼ同一であるので、重複説明は省略する。
以上、実施例で説明したように本発明の包装体は、これを用いて、内容物を抽出するに際して一段と拡大した吐出口を形成することができるものであり、しかも突起の尖端形状は従来品と変わらない形状として残してあるため、蓋の折り曲げ時に曲げ応力を付与する際にも格別の困難性もなく突起の尖端を容易に破断し吐出口を拡開形成できるものである。尚、図６と図７は従来のピラミッド状突起３を形成した包装体１′と、これを折り曲げ、略三角形状の狭い吐出口１０を形成した状態を示す斜視図である。
【０００９】
【発明の効果】
本発明の包装体は、蓋表面の突起状の吐出手段の形状を蓋折り曲げ時に広い吐出口として拡開できる形状としてあるので、内容物に粒径の大なる固形物を含んでいても吐出口に詰まることなくスムーズに抽出できる。
従って、内容物の種類も一段とバラエティーに富んだものを充填できるようになり、その用途を一段と広くできるものである。
【図面の簡単な説明】
【図１】本発明の包装体の一実施例を示す斜視図。
【図２】図１の要部拡大斜視図。
【図３】図１の包装体を使用し吐出手段を拡開した状態を示す斜視図。
【図４】本発明の包装体のその他の実施例を示す斜視図。
【図５】図４の要部拡大斜視図。
【図６】従来の包装体の斜視図。
【図７】従来の包装体の吐出手段を拡開した状態を示す斜視図。
【符号の説明】
１    包装体
２    蓋
３    吐出手段（突起）
３′  突起延設部
４    突条帯
５    容器体
６    ポケット部
７    尖端部
８    折曲線
９    施装部（突起）
１０  開口部
【図１】
0004414567.tif 000002
【図２】
0004414567.tif 000003
【図３】
0004414567.tif 000004
【図４】
0004414567.tif 000005
【図５】
0004414567.tif 000006
【図６】
0004414567.tif 000007
【図７】
0004414567.tif 000008